(57)【要約】【課題】本発明は、効率的にディスクを収納し得、且つ容易に拡張され得る収納装置を与える、ことを目的とする。【解決手段】本発明は、２つの対向するフック部材を各々が有する複数のディスクホルダを掛け下げるよう適合される収納装置に係る。当該収納装置は、ケーシングを有する。該ケーシングは、底壁の２つの対向する側方端部から上方向に夫々延在する２つの側壁、該側壁の上方端部に相互接続する上方壁、及び、側壁の内側表面から内方向に夫々突出する少なくとも１組の水平方向のレールを有する。少なくとも１つの引出しは、ケーシングにおいて配置され、レールに沿って摺動可能である。該引出しは、２つの対向する側板を有する引出し枠を有し、２つのスライドは、レールを摺動可能に夫々係合するよう、側板の外側表面上に夫々与えられる。各側板は、内側表面から内方向に突出し、且つ各ディスクホルダのフック部材と係合するよう適合される、保定具を有する。【選択図】図４
2008037504.tif 000002
【特許請求の範囲】
【請求項１】
２つの対向するフック部材を各々が有する複数のディスクホルダを掛け下げるよう適合される収納装置であって、
ケーシングと、少なくとも１つの引出しとを有し、
前記ケーシングは、底壁と、該底壁の２つの対向する側方端部から上方向に夫々延在する２つの側壁と、該側壁の上方端部に相互接続する上方壁と、前記側壁の内側表面から内方向に夫々突出する少なくとも１組の水平方向のレールと、を有し、
前記少なくとも１つの引出しは、前記ケーシングにおいて配置され、前記レールに沿って摺動可能であり、該引出しは、引出し枠を有し、該引出し枠は、２つの対向する側板と、前記レールを摺動可能に夫々係合するよう前記引出し枠の前記側板の外側表面上に夫々与えられる２つのスライドと、を有し、前記側板の各々は、前記引出し枠の前記側板のうちの１つの内側表面から内方向に突出し、且つ前記ディスクホルダの各々の前記フック部材のうちの１つと係合するよう適合される、第１の保定具を有する、
収納装置。
【請求項２】
前記第１の保定具は、水平方向に延在し、上方端部面と、前記第１の保定具の前記上方端部面から上方向に突出し、且つ前記ディスクホルダの各々の前記フック部材のうちの１つと係合するよう適合される第１のフック係合部と、を有し、
前記第１の保定具及び前記第１のフック係合部は、前記引出し枠の前記側板の夫々の全長において延在する、
請求項１記載の収納装置。
【請求項３】
前記第１の保定具は、前記引出し枠の前記側板の１つの前記内側表面から突出するブロックである、
請求項２記載の収納装置。
【請求項４】
前記第１の保定具は、前記引出し枠の前記側板の夫々の前記内側表面に対して取り付けられる垂直板部と、該垂直板部から内方向に延在する水平板部と、を有し、
前記第１の保定具の前記水平板部は、そこから上方向に突出する前記第１のフック係合部を有する、
請求項２記載の収納装置。
【請求項５】
前記引出し枠は更に、前記側板の前方端部を相互接続する前方板と、前記側板の後方端部を相互接続する後方板と、を有する、
請求項２記載の収納装置。
【請求項６】
前記前方板は、前記前方板から前方向に且つ前記後方板から離れて突出する、引き手部を有する、
請求項５記載の収納装置。
【請求項７】
前記引出し枠は、その上方及び下方端部において開放する、
請求項５記載の収納装置。
【請求項８】
前記引出し枠は更に、前記第１の保定具間に配置される第２の保定具を有し、前記前方及び後方板に対して夫々接続される前方及び後方端部と、上方端部面と、第２の保定具の前記上方端部面から上方向に突出する水平方向に間隔をあけられた２つの第２のフック係合部とを有し、
前記第２のフック係合部の各々と、前記第１の保定具のうち対応する１つの前記第１のフック係合部とは、前記ディスクホルダの前記フック部材を協働して係合するよう適合される、
請求項５記載の収納装置。
【請求項９】
前記ケーシングは、互いから垂直方向に離され、且つ、前記ケーシングの前記側板の前記上方端部と前記下方端部との間において延在する、複数組の前記レールを有する、
請求項１記載の収納装置。
【発明の詳細な説明】
【技術分野】
【０００１】
本発明は、収納装置（ｓｔｏｒａｇｅ  ｄｅｖｉｃｅ）に係り、より特にはディスクに対する収納装置に係る。
【背景技術】
【０００２】
図１を参照すると、コンパクトディスクに対する従来の収納装置１は、間隔を離された２つの側壁１４と側壁１４間における隔壁１２とを有するケーシング１１を有する。隔壁１２は、２つの対向する面上に垂直方向に間隔を離された複数のレール１３を備えられる。側壁１４は夫々、隔壁１２の２つの対向する面上のレール１３と水平方向に夫々位置合わせされる、垂直方向に間隔を離された複数のレール１３’を備えられる。各側壁１４上のレール１３’のうち各２つの近接するレールは、受入れ空間を定義付けるよう、隔壁１２の対応する面上のレール１３のうち位置を合わせられた２つの近接するレールと協働する。収納装置１においてディスクを収納するよう、ディスクはまず、プラスチックケースに置かれ、その後プラスチックケースは、受入れ空間のうちの１つへと挿入される。大量のディスクがある際、従来の収納装置１の数は増やされ、収納装置１は順に重ねられて拡張された量の収納空間を作る。
【０００３】
ディスクのプラスチックケースが実質的な空間を占めるため、収納装置１において収納され得るディスクの量は制限され、ユーザは、収納装置１の量を継続的に増やさなければならず、同時に、増大する数の収納装置１を収容する大きな空間を準備しなければならない。
【０００４】
図２は、コンパクトディスクに対する他の従来の収納装置２を示す。収納装置２は、収納ケース２１と、収納ケース２１においてスタックされる複数のディスクホルダ２２とを有する。コンパクトディスクを収納するよう、コンパクトディスクは、ディスクホルダ２２のうちの１つへと挿入される。収納装置２は、図１中の収納装置１と比較してより少ない空間を占め得るが、ディスクの量が実質的に大きい際、かかる収納装置２の構造では、ユーザは、所望のコンパクトディスクを見つけるためにディスクホルダ２２をめくるよう長い時間を使う必要がある。それ故に、収納装置２の仕様は、面倒且つ不便である。
【発明の開示】
【発明が解決しようとする課題】
【０００５】
したがって、本発明は、効率的にディスクを収納し得、且つ容易に拡張され得る収納装置を与える、ことを目的とする。
【課題を解決するための手段】
【０００６】
本発明によれば、収納装置は、２つの対向するフック部材を各々が有する複数のディスクホルダを掛け下げる（ｈａｎｇ）よう適合される。収納装置は、ケーシング及び少なくとも１つの引出しを有する。ケーシングは、底壁、底壁の２つの対向する側方端部から上方向に夫々延在する２つの側壁、側壁の上方端部に相互接続する上方壁、及び、側壁の内側表面から内方向に夫々突出する少なくとも１組の水平方向のレールを有する。引出しは、ケーシングにおいて配置され、レールに沿って摺動可能である。引出しは、２つの対向する側板を有する引出し枠、及び、レールを摺動可能に夫々係合するよう引出し枠の側板の外側表面上に夫々与えられる２つのスライドを有する。側板の各々は、引出し枠の側板のうちの１つの内側表面から内方向に突出し、且つディスクホルダの各々のフック部材のうちの１つと係合するよう適合される、保定具（ｒｅｔａｉｎｅｒ）を有する。
【発明を実施するための最良の形態】
【０００７】
本発明の他の特性及び利点は、本発明の望ましい実施例に関する以下の詳細な説明において明らかとなる。
【０００８】
本発明がより詳細に説明される前に、同一の参照符号が明細書にわたって同様の要素を示すよう使用されていることは、留意されるべきである。
【０００９】
図３乃至図５を参照すると、本発明の第１の望ましい実施例に従った収納装置４は、各々がディスク８を受けるようポケット３１と、ポケット３１の対向する上方側部から外方向に夫々突出する２つのフック部材３２とを有する、複数のディスクホルダ３を掛け下げるよう適合される。収納装置４は、ケーシング５及び複数の引出し６を有する。
【００１０】
ケーシング５は、底壁５１、底壁５１の２つの対向する側方端部から上方向に夫々延在する２つの側壁５２、側壁５２の上方端部に相互接続する上方壁５３、及び、複数組の水平方向のレール５４を有する（図３中、１つのみの水平方向レール５４が示される）。レール５４は、側壁５２の内側表面から内方向に夫々突出し、互いから垂直方向に間隔をあけられ、側壁５２の上方及び下方端部間に延在する。ドアパネル７は、ケーシング５を開閉可能に閉じるよう、側壁５２の一方の前方端部に対してピボット式に接続される。
【００１１】
引出し６は、ケーシング５において配置され、レール５４の夫々の組に沿って摺動可能である。引出し６の数は、レール５４の組の数に対応する。各引出し６は、図４及び５中にもっともよく示される通り、夫々、引出し枠６１を有する。該引出し枠は、側壁５２に対して平行である２つの対向する側板６１１、レール５４の夫々の組を摺動可能に係合するよう側板６１１の外側表面上に夫々与えられる２つの水平方向のスライド６２、側板６１１の前方端部に相互接続する前方板６１２、及び、側板６１１の後方端部に相互接続する後方板６１３を有する。引出し枠６は、その上方及び下方端部においてそこを通るディスクホルダ３の伸張（ｅｘｔｅｎｓｉｏｎ）に対して開く。
【００１２】
引出し枠６１の各側板６１１は、その内側表面から内方向に突出する第１の保定具６３を有する。第１の保定具６３は、水平方向に延在し、上方端部面６３０と、上方端部面６３０から上方向に突出し、且つ各ディスクホルダ３のフック部材３２の１つと係合するよう適合される第１のフック係合部６３３とを有する。第１の保定具６３及びその第１のフック係合部６３３は、夫々の側板６１１の全長において延在する。この実施例では、各側板６１１の第１の保定具６３は、夫々の側板６１１の内側表面から突出するブロックである。
【００１３】
引出し枠６１の前方板６１２は、その中心から前方向に且つ後方板６１３から離れて突出する引き手部６１４を有する。後方板６１３は、側板６１１の第１の保定具６３の後方端部に対して接続される。
【００１４】
ディスク８を収納するよう、ユーザはまず、ディスクホルダ３のうちの１つのポケット３１の内部にディスク８を置き、ドアパネル７を開き、引き手部６１４を介して引出し枠６１のうちの１つを引出し、引出し枠６１の一部をケーシング５から外へ伸張する。ディスク８を有するディスクホルダ３は続いて、フック部材３２を介して側板６１１の第１の保定具６３の第１のフック係合部６３３に対して係合され、その後、引き出された引出し枠６１は、その本来の位置まで押し戻され、ドアパネル７は閉じられる。
【００１５】
図６を参照すると、本発明の第２の望ましい実施例に従った収納装置４の引出し６（図３参照）は、第１の望ましい実施例に類似するよう示される。しかしながらこの実施例では、引出し枠６１の各側板６１１の第１の保定具６３’（図３及び４参照）は、夫々の側板６１１の長さに対して取り付けられ且つ該長さに沿って延在する垂直板部６３１と、垂直板部６３１の上方端部から内方向に延在する水平板部６３２とを有する。第１の保定具６３’の第１のフック係合部６３３’は、水平板部６３２の内側端部から上方向に突出し、各ディスクホルダ３のフック部材３２のうち１つを係合するよう水平板部６３２の長さに沿って延在する。
【００１６】
図７は、第１及び第２の望ましい実施例の各々の収納装置４がどのように拡張され得るかを示すものである。図示される通り、ケーシング５は、隔壁５５を有し得、２列の引出し６を夫々収容するようケーシング５を２つのチャンバへと分割する。かかる拡張の範囲に制限はなく、引出し６の列の数は、必要に応じて増加され得る。
【００１７】
図８及び９を参照すると、本発明の第３の望ましい実施例に従った収納装置（４ａ）は、第１の望ましい実施例に類似して示される。しかしながらこの実施例では、各引出し（６ａ）の引出し枠（６１ａ）は更に、第１の保定具６３間に配置される第２の保定具６４を有する。第２の保定具６４は、前方板（６１２ａ）及び後方板（図示せず）に対して夫々接続される前方及び後方端部、上方端部面６４１、及び、第２の保定具６４の上方端部面６４１から上方向に突出する水平方向に間隔をあけられた２つの第２のフック係合部６４２を有する。各引出し（６ａ）の前方板（６１２ａ）は、２つの引き手部（６１４ａ）を有する。第２のフック係合部６４２の各々及び対応する第１の保定具６３の第１のフック係合部６３３は、ディスクホルダ３のフック部材３２を協働的に係合するよう適合される。
【００１８】
図１０を参照すると、本発明の第４の望ましい実施例に従った収納装置（４ｂ）は、第３の望ましい実施例に類似して示される。第３の望ましい実施例と第４の望ましい実施例との間の主な相違は、第１の保定具（６３ｂ）の構造にある。この実施例では、第１の保定具（６３ｂ）の各々は、第１の望ましい実施例において記載されたものに類似する構造を有する。即ち、第１の保定具（６３ａ）の各々は、夫々側板６１１に対して取り付けられる垂直板部（６３１ｂ）、垂直板部（６３１ｂ）の上方端部から内方向に延在する水平板部（６３２ｂ）、及び、各ディスクホルダ３のフック部材３２のうちの１つを係合するよう水平板部（６３２ｂ）の内側端部から上方向に突出する第１のフック係合部（６３３ｂ）を有する。
【００１９】
本発明の引出し６，（６ａ），（６ｂ）がディスクホルダ３を摺動可能に掛け下げるよう与えられるため、新しいディスク８が加えられる際、ディスクホルダ３の数のみがディスク８の数に対応するよう増加され、その後ディスクホルダ３は、収納装置４，（４ａ），（４ｂ）において収納される。更には、ユーザは、何らかの分類のシステムを使用して、ディスク８を同一の引出し６，（６ａ），（６ｂ）において選択的に置くことによって該ディスクを整理することができ、それによって収納装置４，（４ａ），（４ｂ）においてディスク８を置くこと及び取り外すことを促進する。それ故に、ディスク８の管理は容易となる。
【００２０】
本発明は、最も実際的且つ望ましいと考える実施例と併せて説明されてきたが、本発明が開示された実施例に制限されず、最も広い解釈の趣旨及び範囲内に有される多種の配置及び同等の配置を対象とするよう意図される、ことは理解される。
【図面の簡単な説明】
【００２１】
【図１】コンパクトディスクに対する従来の収納装置の斜視図である。
【図２】コンパクトディスクに対する他の従来の収納装置の斜視図である。
【図３】本発明の第１の望ましい実施例に従った収納装置の斜視図である。
【図４】第１の望ましい実施例中の引出しの斜視図である。
【図５】図４中の線Ｖ−Ｖに沿ってとられる第１の望ましい実施例の断面図である。
【図６】図５に類似するが、本発明の第２の望ましい実施例に従った収納装置の引出しを図示する。
【図７】本発明の変形例の斜視図であり、本発明がどのように拡張され得るかを例示する。
【図８】本発明の第３の望ましい実施例に従った収納装置の斜視図である。
【図９】図５に類似するが、第３の望ましい実施例の引出しを図示する。
【図１０】図５に類似するが、本発明の第４の望ましい実施例に従った収納装置の引出しを図示する。
【符号の説明】
【００２２】
３  ディスクホルダ
６  引出し
３１  ポケット
３２  フック部材
６１  引出し枠
６２  スライド
６３  保定具
６１１  側板
６１３  後方板
６１４  引き手部
【図１】
2008037504.tif 000003
【図２】
2008037504.tif 000004
【図３】
2008037504.tif 000005
【図４】
2008037504.tif 000006
【図５】
2008037504.tif 000007
【図６】
2008037504.tif 000008
【図７】
2008037504.tif 000009
【図８】
2008037504.tif 000010
【図９】
2008037504.tif 000011
【図１０】
2008037504.tif 000012